【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
ワイヤレス送信された電力を受信するためのデバイスであって、
ワイヤレス送信された電力を受信するように構成された受信機の少なくとも１つのパラメータを測定するように構成された少なくとも１つの感知要素と、
前記少なくとも１つのパラメータがしきい値条件を満たす場合に、前記受信機に、エネルギーを負荷に伝達させるように構成された切替え要素と、
前記少なくとも１つの感知要素に接続されており、制御信号を前記切換え要素に伝達するとともに、前記受信機の負荷の程度に基づいて、前記しきい値条件のしきい値を決定するように構成された制御デバイスと
を具備することを特徴とするデバイス。
【請求項２】
前記少なくとも１つの感知要素が電圧センサを含むことを特徴とする請求項１に記載のデバイス。
【請求項３】
前記少なくとも１つの切替え要素が電界効果トランジスタを含むことを特徴とする請求項１に記載のデバイス。
【請求項４】
前記感知要素に接続された整流器をさらに具備することを特徴とする請求項１に記載のデバイス。
【請求項５】
前記少なくとも１つの感知要素が、前記受信機の整流器の出力に接続された電圧センサを含むことを特徴とする請求項１に記載のデバイス。
【請求項６】
前記制御デバイスが、前記少なくとも１つの切換え要素の状態と、ワイヤレス電力受信機の存在とのうちの少なくとも１つをワイヤレス電力送信機に通知するようにさらに構成されることを特徴とする請求項１に記載のデバイス。
【請求項７】
前記制御デバイスが、前記少なくとも１つのパラメータを前記しきい値と比較するように構成されることを特徴とする請求項６に記載のデバイス。
【請求項８】
前記しきい値が、前記負荷のタイプ、前記負荷のサイズ、または前記負荷のタイプおよびサイズによって決まることを特徴とする請求項７に記載のデバイス。
【請求項９】
前記制御デバイスが、前記少なくとも１つのパラメータが少なくとも所定期間にわたって前記しきい値を超える場合に、前記切替え要素に、前記受信機を前記負荷に接続させるよう、前記制御信号を前記切替え要素に伝達するように構成されることを特徴とする請求項６に記載のデバイス。
【請求項１０】
前記制御デバイスが、前記少なくとも１つのパラメータが少なくとも所定期間にわたって前記しきい値未満である場合に、前記切替え要素に、前記受信機を前記負荷から切り離させるよう、前記制御信号を前記切替え要素に伝達するように構成されることを特徴とする請求項６に記載のデバイス。
【請求項１１】
前記受信機が、電流センサに接続された出力を有した電力変換器をさらに含むことを特徴とする請求項１に記載のデバイス。
【請求項１２】
前記切替え要素が、関連する整流器における電圧が増大した場合に、前記受信機に、エネルギーを負荷に伝達させるように構成されることを特徴とする請求項１に記載のデバイス。
【請求項１３】
ワイヤレス送信された電力を受信するための方法であって、
受信機の少なくとも１つのパラメータを測定する段階と、
測定した前記少なくとも１つのパラメータがしきい値条件を満たす場合、エネルギーを前記受信機から負荷に伝達する段階と、
前記受信機の負荷の程度に基づいて、前記しきい値条件のしきい値を決定する段階と
を有することを特徴とする方法。
【請求項１４】
前記少なくとも１つのパラメータを前記しきい値と比較する段階をさらに有することを特徴とする請求項１３に記載の方法。
【請求項１５】
少なくとも１つのパラメータを測定する段階が、前記受信機の整流器の出力における電圧を測定する段階を含むことを特徴とする請求項１３に記載の方法。
【請求項１６】
測定した前記電圧をしきい値電圧と比較する段階をさらに有することを特徴とする請求項１５に記載の方法。
【請求項１７】
少なくとも１つのパラメータを測定する段階が、前記受信機の電力変換器の出力における電流を測定する段階を含むことを特徴とする請求項１３に記載の方法。
【請求項１８】
エネルギーが前記受信機から前記負荷に伝達されたか否かと、ワイヤレス電力受信機の存在とのうちの少なくとも１つをワイヤレス電力送信機に通知する段階をさらに有することを特徴とする請求項１３に記載の方法。
【請求項１９】
前記受信機の整流器における電圧が増大した場合、前記負荷を前記受信機に接続する段階をさらに有することを特徴とする請求項１３に記載の方法。
【請求項２０】
送信機における電流を感知する段階と、
エネルギーを前記受信機から負荷に伝達する前に前記電流が増大した場合、前記送信機から送信される電力量を減少させる段階と
をさらに有することを特徴とする請求項１３に記載の方法。
【請求項２１】
前記負荷が前記受信機の整流器から切り離される間、前記パラメータを測定する段階をさらに有することを特徴とする請求項１３に記載の方法。
【請求項２２】
前記少なくとも１つのパラメータが少なくとも所定期間にわたって前記しきい値未満である場合、前記受信機を前記負荷から切り離す段階をさらに有することを特徴とする請求項１３に記載の方法。
【請求項２３】
前記少なくとも１つのパラメータが少なくとも所定期間にわたって前記しきい値を超える場合、前記受信機を前記負荷に接続する段階をさらに有することを特徴とする請求項１３に記載の方法。
【請求項２４】
測定した前記少なくとも１つのパラメータが少なくとも前記しきい値に等しい場合、前記送信機に、充電プロセスの存在を伝達させるように、メッセージを関連する送信機に伝達する段階をさらに有することを特徴とする請求項１３に記載の方法。
【請求項２５】
ワイヤレス送信された電力を受信するためのデバイスであって、
受信機の少なくとも１つのパラメータを測定するための測定手段と、
測定した前記少なくとも１つのパラメータがしきい値条件を満たす場合に、エネルギーを前記受信機から負荷に伝達するための伝達手段と、
前記受信機の負荷の程度に基づいて、前記しきい値条件のしきい値を決定するための決定手段と
を具備することを特徴とするデバイス。
【請求項２６】
前記少なくとも１つのパラメータを前記しきい値と比較するための比較手段をさらに具備することを特徴とする請求項２５に記載のデバイス。
【請求項２７】
測定した前記少なくとも１つのパラメータが前記しきい値未満である場合に、前記負荷を前記受信機から選択的に切り離し、測定した前記少なくとも１つのパラメータが前記しきい値を超える場合に、前記負荷を前記受信機に選択的に接続するための手段をさらに具備することを特徴とする請求項２５に記載のデバイス。
【請求項２８】
受信機の少なくとも１つのパラメータを測定するための前記測定手段が、前記受信機の少なくとも１つのパラメータを測定するための１つまたは複数の感知要素を含むことを特徴とする請求項２５に記載のデバイス。
【請求項２９】
エネルギーを前記受信機から負荷に伝達するための前記伝達手段が、前記少なくとも１つのパラメータが前記しきい値を超える場合に、前記受信機に、エネルギーを負荷に伝達させるように構成された切替え要素を含むことを特徴とする請求項２５に記載のデバイス。
【請求項３０】
比較するための前記比較手段が、前記少なくとも１つのパラメータを前記しきい値と比較するように構成された制御デバイスを含むことを特徴とする請求項２６に記載のデバイス。
【請求項３１】
前記負荷を選択的に切り離し、前記負荷を選択的に接続するための前記手段が、前記少なくとも１つのパラメータが前記しきい値を超える場合に、切替え要素に、前記受信機を前記負荷に接続させるよう、制御信号を前記切替え要素に伝達するように構成され、かつ、前記少なくとも１つのパラメータが前記しきい値未満である場合に、前記切替え要素に、前記受信機を前記負荷から切り離させるよう、制御信号を前記切替え要素に伝達するようにさらに構成された制御デバイスを含むことを特徴とする請求項２７に記載のデバイス。